Podtech/llm-jp-corpus-v4-ja_patent huggingface dataset:
(57)【要約】      （修正有）【課題】現在使用されている懐中電気は、そのほとんどが大人の使用に供するもので、夜間に突然の地震や火災などの災害が発生した場合、互いの連絡や所在の提示、あるいは捜索にしても非常に不便な欠陥のある構造をしている。大人をはじめ、子供や老人あるいは病人などすべての人が簡単に操作できて、周囲との意志疎通をはかれるような、双方向の軽量な懐中電気を提供する。【解決手段】スイッチ３を設けた小型化した懐中電気１を、伸縮できる輪状のゴムバンド２に接続させて、毎日の就寝時に、大人から子供に至るすべての人の腕に巻きつけておき、突然の地震や火災等の災害時でも簡単に操作して、懐中電気１としての役目を果たしつつ、避難したり、場所や安全を確認できたり、さらに重要事項欄への記入によって所在を判明できたり、呼吸困難の防止に役立つ装置を常備することで、それを活用して救助に役立つ懐中電気１。【選択図】図１
2008282789.tif 000002
【特許請求の範囲】
【請求項１】
ＯＮ，ＯＦＦで点滅する懐中電気をゴムバンドに装着させて、就寝時に腕にはめておき、地震や火災など災害時の避難や夜間の使用に供することのできるゴムバンド付き懐中電気。
【請求項２】
請求項１より、懐中電気の横のゴムバンドにポケットを設けて、その表面に名前、住所、血液型等を記入できる素材を接着させたゴムバンド付き懐中電気。
【請求項３】
請求項１より、懐中電気の横のゴムバンドに設けたポケットに、災害時ガスや煙を防ぐために使用するマスクを挿入させておくゴムバンド付き懐中電気。
【請求項４】
請求項１より、ゴムバンドそのものに夜行塗料を施しておくゴムバンド付き懐中電気。
【発明の詳細な説明】
【技術分野】
【０００１】  本発明は、ゴムバンド付き懐中電気に関するものである。
【背景技術】
【０００２】  従来から使用されている懐中電気は、一般的に単一の乾電池を二個又は四個使用して点灯させるものである。しかし二個入り懐中電気では太く、四個入りのものでは重く、取り扱いや操作においては大人のみが使うものとして製造された形になっている。そのためか一家に一基買い置きしてあるというのが現状である。使い方も、物を探したり場所を確認したり、あるいは相手方との連絡に供するという形で用いられるなど、用途は広くない。場合によっては、懐中電気を点灯させたまま、暗い場所の中で位置を固定させて置いた時でも、照明は一方向しか届かず、物探しには甚だ不便であり、特に災害時の捜索などでも、被害者自身が懐中電気を手にしていることなどは皆無なため、犠牲者を発見するのに欠点のある機能を有している。
【発明の開示】
【発明が解決しようとする課題】
【０００３】  懐中電気のそうした欠陥、つまり取り扱いが悪く不便で、重く大きく、大人のみが使用するように製造され、一家に一基しか備えられていないため、突然の災害にも探すのに手間取ったり、本体と電池が一緒に準備されていなかったり、電池が切れていたりで、そうした不便さはほとんど改良されていない。本発明は種々の欠点を補い改良して、誰れもが簡単に操作でき、しかも常に携帯できる方法を考え出し、懐中電気としての必要性の拡大を計ることを目的としたので、非常に特徴のあるものを考えた。
【課題を解決するための手段】
【０００４】  本発明は、毎日就寝時に懐中電気を腕に巻きつけて常に備えておき、突然の災害発生の時や、夜間のトイレなど暗い場所を照らすことで、懐中電気としての機能を発揮できるように工夫したものである。また災害時の連絡や居場所の表示、避難先の無事の確認など、互いの安全を理解し合うこともできるので非常に便利な懐中電気となった。【０００５】  本発明のゴムバンド付き懐中電気は、腕に巻きつけて使用するのが目的であるため、懐中電気本体を小型化して、幅広のゴムバンドを接続させ、ｏｎ、ｏｆｆのスイッチで点滅できるようにした。それで大人はもとより子供や老人、病人に至るまで容易に操作することができるようになった。【０００６】  本発明の、ゴムバンド付き懐中電気の横のゴムバンドの部分には、ポケットを設けて、その中に煙やガスを吸収しない素材のマスクを挿入させておき、室内での煙やガスの充満など緊急の時にそれを活用すれば、呼吸困難による傷害を避けることもできる。また、ポケットの表面には、住所、名前、血液型等重要な事柄を記入しておけば救護も容易に運ぶことになる。ゴムバンドには夜行塗料を施しておけば一層便利になる。
【発明の効果】
【０００７】  本発明のゴムバンド付き懐中電気は、その本体を小型化したために、非常に使い易くなり、簡単に操作できる構造になった。従ってｏｎで点灯した時には手許は明るくなって作業も容易になり、方向も違えず、素早く行動を伴うことができる。また通常はｏｆｆにしておけば良く、毎日の就寝時間を利用することなので、長時間の使用に耐えるようになっている。それで本ゴムバンド付き懐中電気は、大人をはじめ、老人にも子供にも病人にも簡単に使用できるものとなった。また、形状もコンパクトになったため、生産コストも安価になった。
【発明を実施するための最良の形態】
【０００８】  以下、本発明の実施の形態を説明する。
（イ）小型化した懐中電気１を、幅広のゴムバンド２に接続させる。
（ロ）スイッチ３は、通常はｏｆｆにセットしておき、夜間に地震や火災等の災害が発生した時や、トイレを使用する場合等にはｏｎにする。
（ハ）ゴムバンド２付き懐中電気１の横の、ゴムバンド２の部分にポケット４を設け、表面には住所、名前、血液型等重要事項の記入欄６を設けておく。
（ニ）ポケット４の内部には呼吸困難を防ぐための、煙やガスを吸収しない素材でできたマスク５を挿入しておき、必要な時随時使用できるようにしておく。
（ホ）大人でも子供でも、また老人や病人でも簡単に使用できるように、着脱可能な、輪状の幅広のゴムバンド２を用いる。
（ヘ）ゴムバンド２には夜行塗料を施しておく。
本発明は、以上のような構造になっている。
【図面の簡単な説明】
【０００９】
【図１】第１図・ゴムバンド２付きの懐中電気１の斜視図。
【図２】第２図・スイッチ３を正面に向けたゴムバンド２付きの懐中電気１の側面図。
【図３】第３図・マスク５を挿入したポケット４を、懐中電気１の横の、ゴムバンド２の部分に設けた平面図。
【符号の説明】
１．懐中電気本体      ２．幅広のゴムバンド      ３．スイッチ
４．ポケット      ５．マスク      ６．重要事項の記入欄
Ａ．Ｂ．Ｃ．懐中電気の発光面
【図１】
2008282789.tif 000003
【図２】
2008282789.tif 000004
【図３】
2008282789.tif 000005
(57)【要約】【課題】長寿命のメタルハライドランプを提供する。【解決手段】気密な発光管520内に放電媒体として希ガス、水銀及びハロゲン化金属を封入し、ランプ容器の管軸方向の両端に放電用電極521,522を設置したメタルハライドランプ52であって、ハロゲン化金属における金属は、鉄元素を除き、電気陰性度Ｎが１．５＜Ｎ＜２．０のいずれかの遷移金属としたことを特徴とする。【選択図】      図２
2008282748.tif 000002
【特許請求の範囲】
【請求項１】
気密な発光管内に放電媒体として希ガス、水銀及びハロゲン化金属を封入し、前記ランプ容器の管軸方向の両端に放電用電極を設置したメタルハライドランプであって、
前記ハロゲン化金属における金属は、鉄元素を除き、電気陰性度Ｎが１．５＜Ｎ＜２．０のいずれかの遷移金属であることを特徴とするメタルハライドランプ。
【発明の詳細な説明】
【技術分野】
【０００１】
本発明は、メタルハライドランプに関する。
【背景技術】
【０００２】
一般に、３５０〜３８０ｎｍ近辺に高い発光強度を持つ紫外線発光のメタルハライドランプは、紫外線硬化塗料の硬化や、近年市場用途の高い機能性高分子フィルムへの光反応に効果的である。
【０００３】
しかしながら、３４０ｎｍ以下の発光波長領域の光は、機能性材料に劣化を与えることが知られており、これらの短波長を抑制して使用されている。
【０００４】
このような要求を満たすものとして、従来、特開平０３-２５０５４９号公報（特許文献１）に記載されているように、金属タリウムあるいはハロゲン化タリウムを鉄と水銀と共に気密性容器に封入することにより３４０ｎｍ以下の短波長の紫外線を抑制して３６５ｎｍ近辺に高い発光強度を持つ紫外線照射ランプが知られている。
【０００５】
しかしながら、このような従来の水銀紫外線ランプの場合、放電媒体に含有される鉄元素が発光管の素材である石英と反応したり、放電電極の素材であるタングステンとアマルガムを形成したりして長いランプ寿命が期待できない問題点があった。
【特許文献１】特開平０３-２５０５４９号公報
【発明の開示】
【発明が解決しようとする課題】
【０００６】
本発明は、上述の技術的課題に鑑みてなされたものであり、長寿命化が図れるメタルハライドランプを提供することを目的とする。
【課題を解決するための手段】
【０００７】
本発明は、気密な発光管内に放電媒体として希ガス、水銀及びハロゲン化金属を封入し、前記ランプ容器の管軸方向の両端に放電用電極を設置したメタルハライドランプであって、前記ハロゲン化金属における金属は、鉄元素を除き、電気陰性度Ｎが１．５＜Ｎ＜２．０のいずれかの遷移金属としたことを特徴とする。
【発明の効果】
【０００８】
本発明のメタルハライドランプによれば、放電媒体中のハロゲン化金属における金属は、鉄元素を除き、電気陰性度Ｎが１．５＜Ｎ＜２．０のいずれかの遷移金属としたので、ランプ点灯中に発光管の素材である石英とハロゲン化金属とが反応することがなく、また電極の素材であるタングステンとハロゲン化金属とがアマルガムを形成することもなく、結果として、ランプの長寿命化が図れる。
【発明を実施するための最良の形態】
【０００９】
以下、本発明の実施の形態を図に基づいて詳説する。図１を用いて、本発明の１つの実施の形態のメタルハライドランプ５２は、紫外線透過性を有する石英製の発光管５２０の内部にタングステン（Ｗ）製等の電極５２１，５２２が配置され、外部にソケット５２３，５２４がそれぞれ設けられている。この実施の形態の紫外線放電ランプ５２の一仕様を示すと、例えば、外管径２７．５ｍｍ、肉厚１．５ｍｍ、発光長Ｌが１０００ｍｍ、ランプ電圧１１００Ｖ、ランプ電流値１１．０Ａである。
【００１０】
発光管５２０の内部には、アルゴン（Ａｒ）ガス等の希ガス、水銀、そしてハロゲン化金属としてヨウ化タリウム（ＴｌＩ）が封入されている。ハロゲン化金属としてヨウ化タリウムを採用した場合、図２に示すように、波長３５２ｎｍ、３６５ｎｍ、３７８ｎｍ付近に、特に波長３５２ｎｍ、３７８ｎｍ付近に大きな発光ピークを有する。この発光特性により、水銀の発光強度を減少させる効果を持ち、そのため、３１３ｎｍの水銀発光を抑制し、３４０〜４００ｎｍの波長領域の発光を相対的に多くした紫外線を発光させることできる。よって、本実施の形態のメタルハライドランプ５２を液晶パネル製造において紫外線を照射して紫外線反応材料を重合させ配向膜をガラス板上に形成する工程に利用すると、液晶パネルの特性に大きく影響を及ぼす波長領域３４０ｎｍ以下の紫外線の照射を低減できる。
【００１１】
尚、ハロゲン化金属としてヨウ化タリウムに代えて、臭化タリウムを採用することもできる。さらに、ハロゲン化金属に採用できる、鉄元素を除き、電気陰性度Ｎが１．５＜Ｎ＜２．０の遷移金属として、上述したタリウムの他に、例えばＣｏ，Ｎｉ，Ｉｎが採用できる。
【図面の簡単な説明】
【００１２】
【図１】本発明の１つの実施の形態のメタルハライドランプの正面図。
【図２】上記メタルハライドランプの分光特性のグラフ。
【符号の説明】
【００１３】
５２…メタルハライドランプ
５２０…発光管
５２１，５２２…電極
５２３，５２４…ソケット
【図１】
2008282748.tif 000003
【図２】
2008282748.tif 000004
(57)【要約】【課題】カメラの姿勢が自重方向に対して安定するようにしたカメラヘッド装置を提供することを目的とする。【解決手段】カメラ３０の把持部材２１は、軸受け部１６で回転自在に保持される。カメラ３０及び又は把持部材２１に、錘４０が取り付けられている。外からの外部ケーブル１４とカメラ接続線３１とは、スリップリング１５１で接続される。【選択図】      図１
2008011221.tif 000002
【特許請求の範囲】
【請求項１】
カメラと、
このカメラの外周を把持した把持部材と、
前記カメラの撮像方向と同じ方向の回転軸を中心にして、前記把持部材を回転自在に保持した軸受け部と、
前記カメラ及び又は前記把持部に取り付けられた錘と、
前記軸受け部、把持部材、カメラを一体にして収容し、前記カメラ前方には窓部を有したケースと、
前記カメラの接続線と、
前記ケースの後部に取り付けられて、外からの外部ケーブルと前記カメラ接続線とを電気接続するスリップリングと
を具備したことを特徴とするカメラヘッド装置。
【請求項２】
前記カメラ及び又は前記把持部と、前記ケースとの間には、前記カメラの姿勢安定化のために電磁石機構が設けられていることを特徴とする請求項１記載のカメラヘッド装置。
【発明の詳細な説明】
【技術分野】
【０００１】
本発明は、水道管、下水管、ガス管などを検査する管内検査装置に利用されて有効なカメラヘッド装置に関する。
【背景技術】
【０００２】
従来、管内検査装置に用いられるカメラヘッド装置は、ケース内にカメラが内蔵されている。このカメラは通常は、ケース内で固定されている。
【発明の開示】
【発明が解決しようとする課題】
【０００３】
カメラヘッド装置は、管内に挿入されて使用されるが、その姿勢は、一定ではなく、撮影した画像からは、現場の上下関係を把握することができない。
【０００４】
そこでこの発明は、カメラの姿勢が自重方向に対して安定するようにしたカメラヘッド装置を提供することを目的とする。
【課題を解決するための手段】
【０００５】
この発明は、カメラと、このカメラの外周を把持した把持部材と、前記カメラの撮像方向と同じ方向の回転軸を中心にして、前記把持部材を回転自在に保持した軸受け部と、前記カメラ及び又は前記把持部に取り付けられた錘と、前記軸受け部、把持部、カメラを一体にして収容し、前記カメラ前方には窓部を有したケースと、前記前記カメラの接続線と、前記ケースの後部に取り付けられて、外からの外部ケーブルと前記カメラ接続線とを電気接続するスリップリングとを備える。
【発明の効果】
【０００６】
上記の手段により、カメラは自重方向に対する姿勢が安定化するために、撮像した画像から上下方向を判断することが容易である。このために撮影現場に対する検査・点検時の対応を適切に行うことができる。
【発明を実施するための最良の形態】
【０００７】
以下この発明の実施の形態を図面を参照して説明する。図１（Ａ）、（Ｂ）はこの発明の一実施の形態である。図１（Ａ）は軸に直交して断面した断面図、図１（Ｂ）は軸と平行に断面した断面図である。
【０００８】
ケース１１は、例えば筒状であり、前方に開口を有し、この開口は、ガラス１２で閉じられている。ケース１１の後方の開口は、蓋部材１３により閉じられている。蓋部材１３は、その中心軸に、外からの外部ケーブル１４の端部を取り付けるためのケーブル取り付け部１５を有する。また、蓋部材１３は、ケース１１の内面側に突出した軸受け部１６を有する。
【０００９】
上記の軸受け部１６は、把持部材２１に形成された軸穴２１１に先端が挿入されている。これにより把持部材２１は、軸受け部１６の回転軸を中心として回転自在である。把持部材２１は、また軸中心側にカメラ取り付け部２１２を有し、ここに同軸的にカメラ３０が取り付けられている。カメラ３０の前方は、前記ガラス１２に対面している。カメラ３０の後方からは電源用、制御信号用、及び撮像信号取出し用のカメラ接続線を有したカメラケーブル３１が引き出されている。カメラケーブル１３のカメラ接続線は、ケーブル取り付け部１５に内蔵されているスリップリング機構１５１の端子に接続されている。このスリップリング機構１５１の固定側端子は、外部ケーブル１４の対応する芯線に接続されている。
【００１０】
ここで、カメラ３０及び把持部材２１は、一体となって軸受け部１６で軸支されているので、軸Ｙを中心に回転自在である。しかし、この回転は、錘４０により常に一定な自重方向へ制御される。
【００１１】
図２にはこの発明のカメラヘッド装置５００により管９００内が検査されている様子を示している。カメラヘッド装置５００で撮像した撮像信号はケーブル１４を介して制御ユニット７００に導かれ、画像処理される。画像処理された映像信号は、モニタ８００にて表示される。ケーブル１４は、ドラム６００に巻回されており、カメラヘッド装置５００が管内に侵入するときは、ケーブルが解かれ、カメラヘッド装置５００が管から引き出されるときは、ケーブルが巻き取られる。モニタ８００に映し出される管内を示す画像は、、実際の管内の上下関係と一致する。
【００１２】
図３にはこの発明の他の実施の形態を示している。先の実施の形態では、カメラ３０及び又は把持部材２１に錘４０が取り付けられている。しかし、図３の実施の形態は、錘４０に代わって、電磁石４０１が取り付けられている。また、ケース内には、この電磁石４０１が通過する位置に対向して、１箇所に永久磁石４０２が固定されている。
【００１３】
電磁石４０１に電気を通電すると、この電磁石４０１は、永久磁石４０２の位置でロックされる。これにより、回転フリーであるカメラ３０が所定の回転位置に固定される。これは、カメラ３０を管内に挿入している途中、或は引き出している途中にカメラ３０が不要に回転するのを防止するためである。
【図面の簡単な説明】
【００１４】
【図１】本発明の一実施の形態を示す図。
【図２】本発明の装置に使用例示す説明図。
【図３】本発明の他の実施の形態を示す図。
【符号の説明】
【００１５】
１１…ケース、１２…ガラス、１３…蓋部材、１４…外部ケーブル、１６…ケーブル取り付け部、１６…軸受け部、２１…把持部、３０…カメラ、４０…錘。
【図１】
2008011221.tif 000003
【図２】
2008011221.tif 000004
【図３】
2008011221.tif 000005
(57)【要約】【課題】核酸分解時間の短縮と使用するヌクレアーゼの使用量の削減によるコスト削減を達成することができるヌクレアーゼ活性の促進法を提供すること。【解決手段】ヌクレアーゼを用いた核酸分解反応において、ヌクレアーゼ活性向上を目的とし、各種分子クラウディング剤（ポリエチレングリコール、エチレングリコール、ジエチレングリコール、Ｆｉｃｏｌｌ、グリセロール、デキストラン、１，３−プロパンジオール、１，２−ジメトキジエタン、ベタインを含む全ての親水性高分子、多糖類および有機溶媒からなる群から選ばれた１種または２種以上）存在下で核酸分解反応を行うヌクレアーゼ活性の促進法。【選択図】図１
2008011748.tif 000002
【特許請求の範囲】
【請求項１】
ヌクレアーゼを用いた核酸分解反応において、ヌクレアーゼ活性向上を目的とし、各種分子クラウディング剤（ポリエチレングリコール、エチレングリコール、ジエチレングリコール、Ｆｉｃｏｌｌ、グリセロール、デキストラン、１，３−プロパンジオール、１，２−ジメトキジエタン、ベタインを含む全ての親水性高分子、多糖類および有機溶媒からなる群から選ばれた１種または２種以上）存在下で核酸分解反応を行うことを特徴とするヌクレアーゼ活性の促進法。
【請求項２】
分子クラウディング剤として分子量が２００〜３５０００の範囲内にあるポリエチレングリコールを用いたことを特徴とする請求項１に記載のヌクレアーゼ活性の促進法。
【請求項３】
各種分子クラウディング剤の濃度が０．１〜３０ｗｔ％の範囲にあることを特徴とする請求項１または２に記載のヌクレアーゼ活性の促進法。
【請求項４】
Deoxyribonuclease I,S1 Nuclease、Mung Bean Nuclease、BAL31 Nuclease、Micrococcal Nuclease、Ribonuclease H、RNase T2を含む全てのエンド型ヌクレアーゼから選ばれた１種または２種以上のヌクレアーゼを使用した請求項１乃至３のいずれかの項に記載のヌクレアーゼ活性の促進法。
【発明の詳細な説明】
【技術分野】
【０００１】
この発明は、核酸分解酵素であるヌクレアーゼを活性化して核酸の分解を促進する方法に関するものである。
【背景技術】
【０００２】
ヌクレアーゼは核酸分解酵素であり、創薬、化粧品、食品添加物、酵素製剤、遺伝子工学等の分野において広く使用されている。これまで核酸を分解する際、それぞれの用途に応じて各種ヌクレアーゼが使用されていた。
【０００３】
例えば、酵母エキスの製造においてヌクレアーゼが用いられていた（例えば、特許文献１参照）。
【特許文献１】特開平１１−３３２５１０号公報（請求項５、請求項６、段落０００８，０００９）
【発明の開示】
【発明が解決しようとする課題】
【０００４】
しかしながら、これら各種ヌクレアーゼ等の酵素類は高価なものであり、工業的なスケールで使用する際にはコストがかかるという問題があり、また、実験スケールにおいても、ヌクレアーゼのターンオーバーを防ぐため酵素量は最小限に抑える必要があった。
【０００５】
そこでこの発明の課題は、各種ヌクレアーゼによる核酸分解において、ヌクレアーゼ活性を促進させ、核酸分解時間の短縮と使用するヌクレアーゼの使用量の削減によるコスト削減を達成することができるヌクレアーゼ活性の促進法を提供することにある。
【課題を解決するための手段】
【０００６】
上記のような課題を解決するため、請求項１の発明は、ヌクレアーゼを用いた核酸分解反応において、ヌクレアーゼ活性向上を目的とし、各種分子クラウディング剤存在下で核酸分解反応を行うヌクレアーゼ活性の促進法である。
【０００７】
上記各種分子クラウディング剤としては、ポリエチレングリコール、エチレングリコール、ジエチレングリコール、Ｆｉｃｏｌｌ、グリセロール、デキストラン、１，３−プロパンジオール、１，２−ジメトキジエタン、ベタインを含む全ての親水性高分子、多糖類および有機溶媒からなる群から選ばれた１種または２種以上が挙げられる。
【０００８】
また、請求項２の発明は、上記請求項１に記載のヌクレアーゼ活性の促進法において、分子クラウディング剤として分子量が２００〜３５０００の範囲内にあるポリエチレングリコールを用いた構成を採用したものである。
【０００９】
また、請求項３の発明は、上記請求項１または２に記載のヌクレアーゼ活性の促進法において、各種分子クラウディング剤の濃度が０．１〜３０ｗｔ％の範囲にある構成を採用したものである。
【００１０】
上記各種分子クラウディング剤の濃度としては、更に５〜２０ｗｔ％の範囲が好ましい。
【００１１】
また、請求項４の発明は、上記請求項１乃至３のいずれかの項に記載のヌクレアーゼ活性の促進法において、Deoxyribonuclease I,S1 Nuclease、Mung Bean Nuclease、BAL31 Nuclease、Micrococcal Nuclease、Ribonuclease H、RNase T2を含む全てのエンド型ヌクレアーゼから選ばれた１種または２種以上のヌクレアーゼを使用した構成を採用したものである。
【発明の効果】
【００１２】
この発明によれば、ヌクレアーゼ活性を促進させることにより、少量の酵素で、迅速に核酸を完全に分解させることが可能となる。
【００１３】
従って、医薬、化粧品、食料業界において核酸分解物を使用する際、この発明の方法によってヌクレアーゼ消化を行うことにより、酵素の使用量減、および酵素反応時間短縮化に伴う大幅なコスト削減が得られ、また、遺伝子工学等研究分野における核酸分解工程の迅速化が得られることになる。
【発明を実施するための最良の形態】
【００１４】
分子量２００〜３５０００の範囲にあるポリエチレングリコールの濃度５〜２０ｗｔ％の存在下、エンド型ヌクレアーゼを用いて核酸分解反応を行う。
【実施例１】
【００１５】
１００ｍＭ  ＮａＣｌ、５ｍＭ  ＭｇＣｌ2および２０ｗｔ％の分子クラウディング剤（ポリエチレングリコール類、エチレングリコール、ジエチレングリコール、Ｆｉｃｏｌｌ又はグリセロール）存在下で０．１４６Ｕのヌクレアーゼ（ＤＮａｓｅＩ）を用いてｐＨ７．０、３７℃で反応を行った。なお基質として２０μＭの２９ｍｅｒ  ｄｓＤＮＡを使用した。その結果、ヌクレアーゼ（ＤＮａｓｅＩ）に及ぼす各種クラウディング剤の影響を図１に示す。なお、図１中、ＰＥＧはポリエチレングリコールを示す。
【００１６】
図１で示すように、各種分子クラウディング剤存在下では、ヌクレアーゼの核酸分解能が向上したのがわかった。
【００１７】
なかでもポリエチレングリコール類存在下では核酸分解能が著しく向上したのがわかった。即ち、反応時間３０分で、分子クラウディング剤非存在下では基質がおよそ８０％残存しているのに対し、ポリエチレングリコール類存在下では、基質は完全に消化された。
【図面の簡単な説明】
【００１８】
【図１】核酸分解反応におけるヌクレアーゼ（ＤＮａｓｅＩ）に及ぼす２０ｗｔ％クラウディング剤の影響を示すグラフ
【図１】
2008011748.tif 000003
(57)【要約】【課題】抗菌性飼料添加物を含有しなくとも同程度の発育性能を有し、かつ下痢の発生率も少ない幼齢家畜用配合飼料の提供。【解決手段】飼料中の乳糖を２０重量％以上含有させると共に、粗たん白質の含量を２０重量％以下に抑え、尚且つ子豚の発育に必要な量のアミノ酸を含有する栄養設計を特長とするほ乳期子豚育成用配合飼料。【選択図】なし【特許請求の範囲】
【請求項１】
乳糖を２０重量％以上含有し、かつ、粗たん白質の含量が２０重量％以下である幼齢子豚用配合飼料。
【請求項２】
さらに子豚の発育に必要なアミノ酸を含む請求項１記載の幼齢子豚用配合飼料。
【発明の詳細な説明】
【技術分野】
【０００１】
本発明は、抗菌性飼料添加物を添加しなくとも、添加した配合飼料と同等の発育性能を有する幼齢子豚用配合飼料に関する。
【背景技術】
【０００２】
近年、人の薬剤耐性菌出現の観点から畜産用飼料に使用する薬剤、抗菌性剤の品目規制が進んでおり、欧州では家畜の成長促進を目的とする抗菌剤の飼料添加が2006年１月より全面禁止された経緯がある。
わが国では畜産物に残留の無い使用量を確認した上で法令での添加量を規制する事により畜産物の安全性を維持しているが、一方で最終消費者のニーズとして、生産農場で抗菌性剤を一切使用しないで生産された畜産物を求める消費動向もあり、農場の衛生管理を徹底する上で、抗菌性飼料添加物を使用せずに生産された豚肉なども市場に流通している。
ここでいう、抗菌性飼料添加物とは、クエン酸モランテル、デストマイシンＡ、亜鉛バシトラシン、アビラマイシンなどのことである。
【０００３】
しかしながら、養豚生産の場合、この抗菌性剤無添加飼料の使用現場において最も問題となるのは、離乳直後の幼齢子豚の生産現場であり、高い衛生環境を維持している農場でも抗菌製剤を無添加で飼育することによる発育停滞や下痢の発生などの問題を回避できない場合も少なくない現状である。
そもそも出生直後から生後70日齢頃までの幼齢子豚は、他の幼齢動物と同じく疾病への抵抗力が乏しい。
また抗菌性飼料添加剤は成長促進の効果もある為、無添加にした場合、特にこの幼齢段階での子豚の発育成績が通常の添加飼料に比べ低くなる問題も含む。
さらに、合成抗菌剤や抗生物質薬剤を連続的に使用すると薬剤耐性菌が出現し、その感染症抑制効果が著しく低下するという問題もある。
【０００４】
これらを解決する手段としては、抗菌性飼料添加物を含有しなくとも同程度の発育性能を有し、かつ下痢の発生率も少ない幼齢家畜用配合飼料が必要となる。
【０００５】
抗菌性飼料添加物を添加しない家畜用配合飼料としては、抗菌性飼料添加物の代わりに天然成分であるクマザサの抽出成分を家畜の飼料に配合する方法（特許文献１）が、提案されている。
この発明は、クマザサの抽出成分が有する菌類やウィルスに対する繁殖抑制効果を利用したもので、ペットや家畜用の飼料に、クマザサ成分を含む添加剤を３０重量％以下添加すること特徴とするものである。
【０００６】
しかしながら、クマザサは天然物とはいえ、独特の風味を有することから、家畜の嗜好性が不良で、家畜によっては食いつきが悪くなったり、発育に応じた摂取量の増加が見られないなどの問題があった。
【特許文献１】特開２００５−１５１９２８号公報
【発明の開示】
【発明が解決しようとする課題】
【０００７】
本発明の目的は、飼料添加のいかなる抗菌性物質を使用せず、飼料の配合だけで幼齢段階での子豚の発育成績が低下しない幼齢子豚用飼料を提供することである。
【課題を解決するための手段】
【０００８】
本発明者らは、この抗菌性物質に成り代わる抗菌性剤無添加の研究の結果、栄養レベルによっても性能の異なる点を見出した。
上述したように、抗菌性剤無添加の幼齢子豚用配合飼料の場合、最大の問題は下痢の発生であり、すなわち離乳してから給与する飼料が無薬の場合にこの時点で下痢発生を伴った発育停滞を生じるケースがしばしば見られる。この問題を解決する為に、飼料中の乳糖含量と粗たん白質含量の組合せ研究から、栄養レベルでかつ抗菌性剤無添加の配合飼料を給与した場合に、下痢の発生が少なく、発育停滞も少ないことを発見し、本発明に至ったものである。
【０００９】
本発明では、飼料中の乳糖と粗たん白質の含量を調整することにより、幼齢段階での子豚の発育成績が低下しない家畜用飼料を得ることができる。
すなわち、本発明は、飼料中の乳糖を２０重量％以上含有させると共に、粗たん白質の含量を２０重量％以下に抑え、尚且つ含有するアミノ酸量は子豚の発育に必要な量を含有する栄養設計を特長とするほ乳期子豚用配合飼料に関するものであり、以下の態様を含むものである。
（１）乳糖を２０重量％以上含有し、かつ、粗たん白質の含量が２０重量％以下である、幼齢子豚用配合飼料。
（２）さらに幼齢子豚の発育に必要なアミノ酸を含む（１）の配合飼料。
【発明を実施するための最良の形態】
【００１０】
飼料中の乳糖を２０重量％以上含有させるためには、飼料に乳糖を配合するか、乳糖を含有する飼料原料の配合量を増加させればよい。乳糖を含有する飼料原料として、乳糖、脱脂粉乳、ホエイパウダー、濃縮ホエーたん白等が例示できる。
【００１１】
一方、飼料中の粗たん白質の含量を２０重量％以下とするには、大豆たん白などの粗たん白質を含む飼料原料の配合比を極力少なくする必要がある。粗たん白質を含む飼料原料としては魚粉、脱脂粉乳、大豆たん白等が例示でき、これらの原料を配合して使用する場合はそれぞれの粗たん白質の総量が、飼料全量に対し２０重量％以下になるようその配合量を調整する必要がある。
【００１２】
さらに、幼齢段階での家畜の発育成績を低下させないためには幼家畜の発育に必要なアミノ酸量は確保する必要がある。飼料に配合されるアミノ酸としては、リジン、メチオニン、トレオニン等が例示される。アミノ酸レベルは飼料中のリジンの含量として1.000〜1.800重量％にすることが望ましい。
【実証例】
【００１３】
離乳後の子豚を1区当たり８頭用意し、抗菌剤を添加した飼料（対照区I）、同様で抗菌剤を添加しない飼料（対照区II）、抗菌剤を添加せず粗たん白質を２０重量％含有する飼料（試験区I）、抗菌剤を添加せず粗たん白質を１８重量％含有する（試験区II）の４種の飼料を調製し、2週間、給与した。
各飼料の組成割合を表１に示す。
【００１４】
【表１】
2008011732.tif 000002
【００１５】
このような試験を５反復実施し、試験前後の体重の変化、試験中における下痢発生率、などを調査した。その結果を表２に示す。
【００１６】
【表２】
2008011732.tif 000003
【００１７】
表2に示されるように、対照区IIの子豚は、対照区Iと比べ下痢や軟便発生率が高く、増体量は低く、飼料要求率は不良であった。試験区Iでは、粗たん白質の含量を減らしことにより下痢軟便の発生率を低下させることができ、増体量を改善できた。試験区IIでは、さらに粗たん白質の含量を低下させたところ、下痢軟便発生率は抗菌剤を添加した対照区と同程度にまで低下し、増体量も著しく改善した。
【産業上の利用可能性】
【００１８】
本発明の配合飼料によれば、抗菌剤や抗生物質を配合しないので、消費者に対し安全な食肉を提供することができ、さらに、幼齢子豚の下痢の発生率が抑えられ、飼料要求率も悪化しないので、効率的に家畜を育成することができる。
(57)【要約】【課題】  貝類の砂抜きを確実かつ効率的に処理し、調理時間の短縮と食品の安全性の向上を図る装置を提供する。【解決手段】  タンク槽１内の塩水に籠４で浮かせた状態に浸した貝類に低周波電気パルスを与え、呼吸運動を促し貝類の砂抜きを高効率、短時間で行う装置。貝類１３に酸素を与えると同時に吐き出された砂や排泄物を洗浄し沈殿槽３に導く作用を持つ循環系を合わせ持つ。このことで貝類１３と砂、排泄物の分離が効率的に行える。。【選択図】図１
2008011782.tif 000002
【特許請求の範囲】
【請求項１】
タンク槽内の塩水に籠で浮かせた状態に浸した貝類に低周波電気パルスを与え呼吸運動を促しすことで貝類の砂抜きを高効率、短時間で行う装置。
【請求項２】
タンク槽内の塩水をポンプで循環し貝類が吐き出した砂や排泄物を洗浄すると同時に、貝類に酸素を与える効果を持つ循環系。
【発明の詳細な説明】
【技術分野】
【０００１】
本発明は、貝類を調理する前に行う砂抜きを、貝類に低周波電気パルスを与えることで砂抜き工程の短縮と効率化を目指した食品加工装置の発明である。
【背景技術】
【０００２】
従来の貝類の砂抜き装置はタンク槽内の塩水に長時間浸した貝類の自発呼吸運動によって自然に行う方法が一般的であった。
【０００３】
しかし、この方法では砂抜きが完了するまで数時間から一日ほどの時間がかかっていた。また呼吸運動が弱い貝類があると砂抜きが完全に行われず、砂抜きが完了した貝と見た目では判断が付かない。
【０００４】
この結果、砂抜きの完了した貝類と未完了の貝類が混入し、調理上、衛生上問題があった。このことは食品製造現場または家庭では安全衛生に関しての大きな問題である。具体的には、砂、砂に付いた細菌、貝類の排泄物に付いた細菌の混入が避けられない状況であった。また砂抜きの不完全な貝類を食すと口内、歯で砂を噛み咀嚼された時の食感に著しい悪影響があった。    
【特許文献１】登録実用新案第３１２１１３４号
【非特許文献１】ビジュアル生物  筋収縮のしくみ  東京法令出版
【発明の開示】
【発明が解決しようとする課題】
【０００５】
解決しようとする課題は、貝類の砂抜きを確実かつ効率的に処理し、調理時間の短縮と食品の安全性を図ることである。
【課題を解決するための手段】
【０００６】
人体に使用される低周波治療器の原理を応用し貝類の呼吸筋を動かす周波数の電気パルスを貝類に与える。塩水の電気抵抗は低く電気パルスは容易に貝類に通電できる。通電中の貝類の洗浄と酸素不足を補うための塩水循環系を有する。
【発明の効果】
【０００７】
本発明の砂抜き装置は、タンク槽１内の塩水中の籠４に入れた貝類１３に低周波電気パルスを一定時間通電することを特徴とする。この低周波電気パルスは貝類１３に呼吸筋肉運動をさせ砂の吐き出しを迅速に行う効果がある。この装置の中で貝類１３は吊るされた籠４内に入れられタンク槽１の底部から浮いた状態にあり、タンク槽１内の塩水を循環ポンプ８で循環し貝類１３に空気中から酸素を供給すると同時に吐き出された砂や排泄物１２を洗浄し沈殿槽３に導く作用を持つ循環系を持つ。このことで貝類１３と砂、排泄物１２の分離が効率的に行える。副次的効果として貝類１３を浸した塩水に低周波電気パルスを通電することにより塩水にイオンが発生する。このことは塩水への滅菌効果が期待できる。
【発明を実施するための最良の形態】
【０００８】
タンク槽１、蓋２、沈殿槽３、籠４、電極５、低周波パルス発生回路６、フィルター７、循環ポンプ８、循環配管９、酸素供給１０、制御装置１１を基本構成とする。簡単な部品構成で高効率を実現した。
【実施例１】
【０００９】
図１は、本発明装置の実施例１の断面図であって、貝類１３を籠４に収納しタンク槽１の塩水に浸し、低周波電気パルスの通電、塩水の循環を行った場合の構成を表す。発明の主体はタンク槽１、籠４、電極５、循環系の構成にあるので、給排水、低周波周波数、電源の説明は省略する。砂、排泄物１２、空気（酸素）、塩水の流れを矢示で示す。
【００１０】
タンク槽１内に吊るされた籠４に貝類１３を重ならないように配置する。塩水面は貝類１３が浸るぐらいとする。タンク槽１塩水中の電極５から貝類１３の呼吸筋を運動させる低周波パルスを通電する。貝類１３から一斉に吐き出された砂、排泄物１２は籠４から循環水に促され沈殿槽３に移動する。沈殿槽３の上澄みの塩水は循環ポンプ８により途中で空気中から酸素供給１０され、循環配管９を通り再び籠４の塩水中に供給される。
【産業上の利用可能性】
【００１１】
貝類に限らず砂、異物を内包する可能性のある食用生物の砂抜きに有効である。超音波洗浄器を併用すれば洗浄も同時にできる。貝類を浸した塩水に低周波電気パルスを通電することにより塩水にイオンが発生する。このことで循環される塩水の滅菌効果が期待でき、貝類特有の食中毒を予防できる可能性がある。タンク槽もしくは循環経路にヒーターを設置し塩水を定温管理することで効率を上げることができる。
【図面の簡単な説明】
【００１２】
【図１】貝類の砂抜き装置の実施方法を示した説明図である。（実施例１）
【符号の説明】
【００１３】
１    タンク槽
２    蓋
３    沈殿槽
４    籠
５    電極
６    低周波パルス発生回路
７    フィルター
８    循環ポンプ
９    循環配管
１０  酸素供給
１１  制御装置
１２  砂、排泄物
１３  貝類
【図１】
2008011782.tif 000003
(57)【要約】【課題】その日の天候等によるウキの雑音情報の中から魚のあたりを見出すという高度な判断を必要とするウキの用途において、前記のごとく経験の浅い素人においては魚のあたりを見落とす、経験豊富な釣り人でも魚のあたり、あわせのタイミングにおいて謝った判断をすることがあるなどの問題点があった。【解決手段】学習効果により、基本となる釣り人モデルと実際の釣り人の挙動とを比較検討することにより、釣り人支援システム、釣り人モデルに実際の釣り人の挙動を反映させながら、両者の相違を釣り支援システムで支援し、その釣り人にあわせてサ−ビスをカスタマイズしていくことを最も主要な特徴とする状況適応型釣り支援システムの実用化【選択図】図１
2008011705.tif 000002
【特許請求の範囲】
【請求項１】
表示ウキの中の処理回路により、検知部から得られた魚のあたり情報を演算処理し、メモリに内蔵の釣り人モデル情報、各種魚のあたり情報等のデータベースと比較検討
することにより、その釣り人の状況に適応した釣り支援を行うことを特徴とする状況
適応型釣り支援システム
【発明の詳細な説明】
【技術分野】
【０００１】
本発明は、学習効果により、基本となる釣り人モデルと実際の釣り人の挙動とを比較検討することにより、釣り人支援システム、釣り人モデルに実際の釣り人の挙動を反映させながら、両者の相違を釣り支援システムで支援し、その釣り人にあわせてサ−ビスをカスタマイズしていく状況適応型釣り支援システムに関するものである。
【背景技術】
【０００２】
釣具の中で、ウキは魚のあたりを直接釣り人に目視で認知させることができる利点がある。実用のウキは釣りの対象とする魚、釣り場所等によって様々な種類のものが開発されてきた。いずれのウキにも求められるものは高感度と天候に関係のない視認性であるが、これまで釣り人は長年の釣り経験により、その日の天候等によるウキの雑音情報
も苦にせず、自己判断により実用に供してきた。
【０００３】
しかし、団塊の世代の退職、若年層、婦人層等これまでは、仕事に忙殺されて、あるいはなかなか余暇時間がとれない等で、直接釣りとは縁がなかったが、いままでできなかった釣りをしたいといった人口、つまり釣り人口の増加に対して、これまでのように高度な判断を必要とするウキでは十分な経験を重ねて本当に釣りをしてよかったと前記素人釣り人が感じるまでにあきらめてしまう恐れがあるという欠点があった。
【０００４】
その日の天候等によるウキの雑音情報の中から魚のあたりを見出すという高度な判断を必要とするウキの用途において、前記のごとく経験の浅い素人においては魚のあたりを見落とす、経験豊富な釣り人でも魚のあたり、あわせのタイミングにおいて謝った判断をすることがあるなどの問題点があった。
【発明の開示】
【発明が解決しようとする課題】
【０００５】
解決しようとする問題点は、経験の浅い素人においては魚のあたりを見落とす、経験豊富な釣り人でも魚のあたり、あわせのタイミングにおいて謝った判断をすることがあるなどの点である。
【課題を解決するための手段】
【０００６】
学習効果により、基本となる釣り人モデルと実際の釣り人の挙動とを比較検討することにより、釣り人支援システム、釣り人モデルに実際の釣り人の挙動を反映させながら、両者の相違を釣り支援システムで支援し、その釣り人にあわせてサ−ビスをカスタマイズしていくことを最も主要な特徴とする。
【発明の効果】
【０００７】
本発明の状況適応型釣り支援システムは、学習効果により、基本となる釣り人モデルと実際の釣り人の挙動とを比較検討することにより、釣り人支援システム、釣り人モデルに実際の釣り人の挙動を反映させながら、両者の相違を釣り支援システムで支援し、その釣り人にあわせてサ−ビスをカスタマイズしていくことを最も主要な特徴とする
ため、経験の浅い素人においては魚のあたりを見落とす、経験豊富な釣り人でも魚のあたり、あわせのタイミングにおいて謝った判断をすることがあるなどを防止できるという利点がある。
【発明を実施するための最良の形態】
【０００８】
経験の浅い素人においては魚のあたりを見落とす、経験豊富な釣り人でも魚のあたり、あわせのタイミングにおいて謝った判断をすることがあるなどを防止するという目的を
最小の部品点数で実現した。
【実施例１】
【０００９】
図１は、本発明の１実施例の機能ブロック図である。
【産業上の利用可能性】
【００１０】
学習効果により、基本となる釣り人モデルと実際の釣り人の挙動とを比較検討することにより、釣り人支援システム、釣り人モデルに実際の釣り人の挙動を反映させながら、両者の相違を釣り支援システムで支援し、その釣り人にあわせてサ−ビスをカスタマイズしていくことを最も主要な特徴とするため、経験の浅い素人においては魚のあたりを見落とす、経験豊富な釣り人でも魚のあたり、あわせのタイミングにおいて謝った判断をすることなどに対しても十分適用できる。
【図面の簡単な説明】
【００１１】
【図１】状況適応型釣り支援システムの機能ブロックを示した説明図である。        （実施例１）
【符号の説明】
【００１２】
１  釣り人
２  釣り支援システム                      
３  釣り人モデル 
４  状況適応型釣り支援システム  
【図１】
2008011705.tif 000003
(57)【要約】【課題】  携帯ゲーム機のカセットに、紐通し用の穴が無く、首からカセットを吊るすことができない為、幼児や小学低学年の子供が携帯ゲーム機を持って外で遊ぶ際に、カセットを複数個ポケットに入れて持ち歩いて、よく紛失してしまう。又、カセットは、小さい為、捜す事が困難である。この様な不都合を解決すること。又、友達同士でカセットを間違えて持ち帰る等のトラブルを防止することも同時に解決すること。【解決手段】  首掛け紐に接着剤付の部品を取り付けて、携帯ゲーム機のカセットに首掛け紐を取付ける事により、この課題を解決する。【選択図】  図１
2008011886.tif 000002
【特許請求の範囲】
【請求項１】
携帯ゲーム機のカセットを接着剤で接合する特徴の首掛け紐
【発明の詳細な説明】
【技術分野】
【０００１】
本発明は、首掛け紐に関するものであり、首掛け紐の形状に工夫を加える事によって、携帯ゲーム機のカセット（ソフト）の紛失を防止する為のものである。
【背景技術】
【０００２】
従来から、対象物の紐通し穴に首掛け紐を通して、利用されている。この例として、特許文献１に開示されているものがある。
【特許文献１】特開２００６−５５６２７号公報
【非特許文献１】特になし。
【発明の開示】
【発明が解決しようとする課題】
【０００３】
しかし、携帯ゲーム機のカセットには、紐通し用の穴が無く、首からカセットを吊るす事ができない為、幼児や小学低学年の子供が携帯ゲーム機を持って外で遊ぶ際に、カセットを複数個ポケットに入れて持ち歩いて、よく紛失してしまう。又、カセットは、小さい為、捜す事が困難である。実際に、自分の子供や子供の友達が紛失した時に、紛失しない様、言い聞かせるものの遊びに夢中になっているせいかやはり紛失してしまう。カセットは高価であり痛い出費である。又、友達同士でカセットを間違えて持ち帰る等のトラブルもよく発生している。そこで、紛失、トラブルを防止する為に、カセットに紐通し用の穴が無い不都合を解決する事を課題とする。
【課題を解決するための手段】
【０００４】
この課題を解決する為の請求項目１の発明は、首掛け紐に接着剤の付いた部品を設けたことを特徴とする、カセットの紛失防止首掛け紐である。カセットの側面に接着して、首掛け紐を取り付けることにより、カセットを紛失することを防止できる。
【発明の効果】
【０００５】
本発明により、カセットに紐通し用の穴が無い為に首掛け紐を取りつけることができないという不都合はおきず、カセットを首から吊るす事ができる。その事により、カセットを身体から離す事が無くなり、紛失することを防止できる。
【発明を実施するための最良の形態】
【０００６】
図１は、首掛け紐に接着剤の付いた部品を設けたことを特徴とする、首掛け紐の詳細図である。同図に示すように、接着剤を保護している紙を剥がし、接着剤の付いた面をカセット側面に接合して、カセットを首から吊るす事により、紛失を防止できる。又、接着剤付の部品と取外し可能なジョイントを付けることにより、家で携帯ゲーム機を使用する時は、首掛け紐をはずせる為、邪魔にならない。
【０００７】
これら部品の材料は、樹脂、プラスチック、ゴム、繊維、紙、金属等の通常のものでよい。又、形状の長さや厚み等に変更を加えたものとしてもよい。
【実施例】
【０００８】
図２は、実際に、首掛け紐をカセットに結合して、カセットを携帯ゲーム機本体に接続して、使用しているイメージ図である。同図に示すように、複数個のカセットを持ち歩く場合は、使用していないカセットをそのままポケットに入れれば、邪魔にならない。
【産業上の利用可能性】
【０００９】
本発明に係る首掛け紐は、工業的に量産する事が可能であるため、産業上の利用可能性を有する。
【図面の簡単な説明】
【００１０】
【図１】首掛け紐に接着剤の付いた部品を設けたカセット紛失防止の首賭け紐とカセットの全体図ある。
【図２】実際に、首掛け紐をカセットに結合して、カセットを携帯ゲーム機本体に接続して、使用しているイメージ図である。
【符号の説明】
【００１１】
１        カセットと結合する接着剤付きの部品
２        接着剤の付いた面
３        接着剤を保護する容易に剥がせる紙
４        接着剤付の部品と取外し可能なジョイント
５        首掛け紐
６        接着剤付の部品と結合する面
７        カセット本体
８        携帯ゲーム機本体へ接続する面
９        カセットと携帯ゲーム機本体の接続部分
１０      カセットを使用している方の首掛け紐
１１      カセットを使用していない方の首掛け紐
１２      携帯ゲーム機本体
【図１】
2008011886.tif 000003
【図２】
2008011886.tif 000004
(57)【要約】【課題】木に登らずに、市販の枝切りバサミで切り落とした果実を傷付けずに容易に手早く収穫できる果実収穫具を提供する。【解決手段】伸縮型の枝きりハサミで切り落とした柿の実を、伸縮棒の先端に取り付けた果実受けで受け取り、果実受け下部のスライダーから取り出し口まで落下させる事を特徴とする果実収穫具。【選択図】図１
2008011843.tif 000002
【特許請求の範囲】
【請求項１】
伸縮型の枝きりハサミで切り落とした柿の実を、伸縮棒の先端に取り付けた果実受けで受け取り、果実受け下部のスライダーから取り出し口まで落下させて収穫する事を特徴とした果実収穫具。
【請求項２】
市販の伸縮型の枝きりハサミを一体型とした、請求項１記載の果実収穫具。
【発明の詳細な説明】
【技術分野】
【０００１】  本発明は、伸縮棒に果実受けとスライダーを取り付け、果実を木々の先端から手元まで損傷少なく取り寄せる事が出来る果実収穫具に関するものである。
【背景技術】
【０００２】  柿の実を収穫するには、木に登る又はハシゴ・脚立に乗っての高所作業が必要となるが、特に柿の木は背丈が高く折れ易いため非常に危険を伴う。木に登らずに安全に果実を収穫する器具として、柄の長い枝切りバサミに切り取った枝を挟さむ機能を付けたものとか、特許文献１及び特許文献２の様な果実収穫具も考案されている
【特許文献１】特許公開２００５−２５３４４４
【特許文献２】特許公開２００３−１８０１２３
【発明の開示】
【発明が解決しようとする課題】
【０００３】  そのために、次のような問題点があった。
（イ）一般的に柿の実を収穫するには高所作業となるため、非常に危険を伴う。
（ロ）木に登らずに安全に果実を収穫する器具として、市販の伸縮型枝切りバサミで切り取った果実付き枝を落下させない様に挟さみ込み機能を付けたものとか、特許文献１及び特許文献２の様な果実収穫具も考案されているが、収穫までの作業性が良くない。
本発明は、これらの問題点を解決するためになされたものである。
【課題を解決するための手段】
【０００４】  市販の伸縮型枝切りバサミで切り落とした果実を、伸縮棒（１）の先端に果実受け固定用金具（３）で固定した果実受け（４）で受け取り、スライダー（５）で取り出し口（７）まで滑らせて衝撃吸収パッキン（６）で果実への損傷を軽減させ、容易に収穫できる構造と成っている。
以上を特徴とする果実収穫具である。
【発明の効果】
【０００５】  その結果、次の効果が生じる。
（イ）果実を収穫するのに、木に登らなくて済む為、危険が少ない。
（ロ）果実は、取り出し口に瞬時に到達する為、作業性が良く収穫し易い。
（ハ）スライダー部は中が閉じた形となっている為、果実の落下速度が緩和される事と、衝撃吸収パッキンにより果実への損傷が軽減出来る。
（ニ）取り出し口のパッキンを内側に垂らしている為、果実の飛び出しを防止出来る。
（ホ）柿だけに限らず、リンゴ・梨・柿・栗・杏・ナツメ等の果実一般収穫に使用出来る。
【発明を実施するための最良の形態】
【０００６】  以下本発明の実施の形態に付いて説明する。
（イ）通常市販されている伸縮棒（１）の先端に果実受け固定用金具（３）で逆円錐状の果実受け（４）を設ける。
（ロ）果実受け（４）より続くスライダー（５）の下部内部に衝撃吸収パッキン（６）を設けて、側部に切込みを入れた取り出し口（７）を設ける。
（ハ）取り出し口（７）の位置を手元近くに決める為、伸縮棒（１）に複数のスライダー固定用紐（２）を設けて、空洞の細長状のスライダー（５）を固定する。
本発明は以上の構成からなる果実収穫具である。次に本発明の使い方に付いて説明をする。
（ニ）収穫しようとする柿の実の下に果実受け（４）を置き、市販の伸縮型枝切りバサミで柿の実を切り落とす。
（ホ）果実を果実受け（４）で受け取り、自重でスライダー（５）から衝撃吸収パッキン（６）の取り出し口（７）まで滑らせる。
（ヘ）取り出し口（７）より、果実飛び出し防止パッキン（８）を押して果実を取り出す。
（ホ）なお改良案として、伸縮棒（１）の長さ及びスライダー（５）に複数個の取り出し口（７）及び衝撃吸収パッキン（６）を設ける事により、高さの異なった木への対応も可能となる。
本発明は以上の様な構成及び使い方で、これを使用する時は一人が市販の伸縮型枝切りバサミで柿の実を切り落とし、もう一人が本器で収穫する連携方法が好ましい。
【図面の簡単な説明】
【０００７】
【図１】本発明の斜視正面図
【図２】本発明の斜視側面図
【図３】本発明の取り出し口側面拡大図
【図４】本発明の使用説明図
【符号の説明】
【０００８】  １  伸縮棒
２  スライダー固定用紐
３  果実受け固定用金具
４  果実受け
５  スライダー
６  衝撃吸収パッキン
７  取り出し口
８  果実飛び出し防止パッキン
【図１】
2008011843.tif 000003
【図２】
2008011843.tif 000004
【図３】
2008011843.tif 000005
【図４】
2008011843.tif 000006
(57)【要約】【課題】この発明は、ネコ等の動物の侵入を地面等に敷くことにより防止できる網ネットである。【解決の手段】網ネット（１）はパイプ（２）に巻かれ長さ調節がてきる。常に網ネットは地面より１０センチメートル位の高さになるよう止め金（４）で固定されている。  バネ（３）により張力が保たれているので人や車か出入りする時はへこむがすぐ元にもどる。ネコ等の動物が出入りする場所に敷くことによりその内側には侵入しない。ネコ等の動物は不安定な場所を歩くのをきらい、侵入しても足にからまり動けなくなり近よらなくなる。【選択図】図２
2008011844.tif 000002
【特許請求の範囲】
【請求項１】
ネコ等動物の侵入を防止する網ネットであり地面等に敷くことにより侵入を防止する装置である。網ネットはパイプに巻かれてあり長さ調節ができる。また常に地面より約１０センチメートル浮かせた状態が保てるようパイプにつけたバネ等で張力が保たれているので人や車が出入りする時はふんだ所は、へこむがすぐ元にもどる。人や車がひっかかりにくいよう端はネット止めにより斜めにもできる。幅は１メートルを基本とするか塀の上や対称動物の大きさなどにより幅を変えてもよい。また網目も対称動物により変えた方がよい。これは、ネコ等の動物が不安定な場所を歩くのをきらい、足にからまって動けなくなるとその後近よらなくなる習性を利用したものである。
【発明の詳細な説明】
【発明の詳細な説明】
この発明は、ネコ等の動物の侵入を防止する網ネット（１）を地面等に敷くことにより侵入を防ぐ装置であり、綱ネット（１）はパイプ（２）に巻いてありパイプ（２）につけたバネ（３）により巻きとられるようになっており長さ調節ができ常に張力が保たれている。パイプ（２）は止め金（４）と重り（５）により地面等に固定できる。網ネット（１）は止め金（４）により地面より約１０センチメートルに保たれている。人や車がふんだ所はバネ（３）によりすぐ元にもどり端は人や車がひっかかりにくいようネット止め（６）によりななめにできる。止め金（４）には地面側に穴があいておりビスやクイ等で止めることができる
【図面の簡単な説明】
【図１】  本発明の正面図である
【図２】  本発明の側面図である
【符号の説明】
（１）網ネット  （２）パイプ  （３）バネ  （４）止め金  （５）重り  （６）ネット止め
【図１】
2008011844.tif 000003
【図２】
2008011844.tif 000004